(57)【特許請求の範囲】
【請求項１】
プリンタ本体と、当該プリンタ本体が載置される上部開口部を有し当該プリンタ本体が載置された状態で下方に内部空間を形成する収納ケースとを有するプリンタ装置であって、
前記プリンタ本体には、その上部側面に形成された溝状の取っ手部と、前記取っ手部の下部側面に形成された係止部とが設けられ、
前記収納ケースは、前記収納ケースに回動可能に軸支され、前記係止部に係合する係合部が設けられたロック部材と、前記収納ケースの外側面における前記ロック部材の取付位置に対して略９０°対向した位置を回転軸として回動可能なハンドル部材とが設けられ、
前記ロック部材を回動させた場合に、当該ロック部材と、回動する前記ハンドル部材とが干渉する位置に前記ロック部材が配置されており、
前記ロック部材を所定方向に回動させた場合に、当該ロック部材と当接した前記ハンドル部材が前記ロック部材と共に前記所定方向に回動するように、前記ロック部材が形成されていることを特徴とするプリンタ装置。
【請求項２】
前記ロック部材を前記係止部の方向へ回動中に前記ロック部材と前記ハンドル部材とが当接する場合に、前記ロック部材の前記係止部の方向への回動が規制されるのを防ぐためのリブ部が前記ロック部材に設けられており、
前記係止部と前記係合部とが係合した場合に前記プリンタ装置の側面と対向する前記ロック部材の面と、前記面から突出して設けられた前記係合部の端面とをつなぐように前記リブ部が設けられおり、
前記面から前記端面に続く前記リブ部の稜線が斜傾部をなすように設けられていることを特徴とする請求項１に記載のプリンタ装置。
【請求項３】
前記係止部は凸形状を有し、前記係合部は凹形状を有していることを特徴とする請求項１または２に記載のプリンタ装置。
【請求項４】
前記係合部が軸支される前記収納ケースの側面に側面開口部が形成され、
前記側面開口部は、前記係合部を前記係止部に係合して前記プリンタ本体を前記収納ケースに保持したロック状態で閉塞され、前記ロック部材のロック状態が解除され前記収納ケースの外側へ回動した状態で開口し、
前記側面開口部が開口した状態で前記プリンタ本体の取っ手部が外部から視認可能に露出することを特徴とする請求項１に記載のプリンタ装置。
【請求項５】
前記ロック部材は、前記プリンタ本体を前記収納ケースに保持したロック状態で、前記ロック部材の重心位置が前記ロック部材の回動中心よりも前記収納ケースの外側に位置するように設定され、
前記収納ケースの側面開口部には、前記ロック部材が前記側面開口部を介して前記収納ケースの内部へ回動するのを阻止する規制部材が設けられ、
前記ロック状態を解除した状態において、前記ロック部材は自重によって前記収納ケースの外側へ回動し、その回動可能範囲が前記ロック状態から略１８０°であることを特徴とする請求項１に記載のプリンタ装置。
【請求項６】
前記ロック部材は、前記収納ケースに軸支される第２ロック部材と、前記第２ロック部材に軸支される第１ロック部材とからなり、
前記第１ロック部材の回動可能範囲が前記ロック状態から略１８０°であり、
前記第２ロック部材の回動可能範囲が前記ロック状態から略９０°であることを特徴とする請求項１に記載のプリンタ装置。
【請求項７】
プリンタ本体と、当該プリンタ本体が載置される上部開口部を有し当該プリンタ本体が載置された状態で下方に内部空間を形成する収納ケースとを有するプリンタ装置であって、
前記プリンタ本体の外装部は、前記収納ケースと係合するための係止部を有し、
前記収納ケースは、前記収納ケースに回動可能に軸支され、前記係止部に係合する係合部が設けられたロック部材と、前記収納ケースの外側面における前記ロック部材の取付位置に対して略９０°対向した位置を回転軸として回動可能なハンドル部材と、を有し、
前記ロック部材を回動させた場合に、当該ロック部材と、回動する前記ハンドル部材とが干渉する位置に前記ロック部材が配置されており、
前記ロック部材を所定方向に回動させた場合に、当該ロック部材と当接した前記ハンドル部材が前記ロック部材と共に前記所定方向に回動するように、前記ロック部材が形成されていることを特徴とするプリンタ装置。
【発明の詳細な説明】
【技術分野】
【０００１】
本発明は、プリンタ本体と、プリンタ本体を載置する収納ケースとが分離して構成されたプリンタ装置に関するものである。
【背景技術】
【０００２】
従来の上部開口部にプリンタ本体を載置する収納ケースを有したものには、ハンドミキサがある。従来のハンドミキサを収納する場合では、プリンタ本体には電源コードが取り付けられ、プリンタ本体と電源コードとを収納ケースに載置する時に、電源コードはその弾性力によりばらばらになろうとする。このため、プリンタ本体を収納した時にプリンタ本体を保持するためのリブがケース内側から突き出しているため、ばらけた電源コードがリブに乗り上げやすく、そのまま気が付かずにプリンタ本体を収納ケースに載置し電源コードを挟んでしまうことがあった。
【０００３】
上記課題を解決するため、プリンタ本体を保持するため収納ケース内側から突き出しているリブを支柱へ変更し、電源コードを挟み込みにくくするなどの対策が提案されている（例えば、特許文献１参照）。
【０００４】
ここで、従来のプリンタ装置の構成について図１０乃至図１２を参照して説明する。
【０００５】
図１０に示すように、プリンタ本体５１の小型化に伴い、印刷時に必要となるインクカートリッジ５２や用紙５５、給紙トレイ５６や電源コード５３、アダプタ５４などがプリンタ本体５１とは別構成とされる。そして、これらを印刷時にプリンタ本体５１に取り付けて使用される。
【０００６】
このような構プリンタ装置において別構成のものとプリンタ本体５１とを一括にまとめて収納するためには、別にケースなどを用意するか、オプションなどで用意される専用ケースなどを使用する方法がある。
【特許文献１】特開平８−１４０８６８号公報
【発明の開示】
【発明が解決しようとする課題】
【０００７】
上述した構成ではプリンタ本体の小型化が進む一方で、ユーザが部品の組み付けを行う印刷準備作業や印刷が終了し組み立てた部品を収納する片付け作業が複雑化及び遅速化し、プリンタを小型化したことの優位性が低下してしまう場合がある。
【０００８】
また、図１１（ａ），（ｂ）に示すようにプリンタ本体５１を持ち運ぶ利便性を向上するために、プリンタ本体５１に取っ手６０やハンドル６１などを設け、作業性を向上させる措置を施すことが一般的に想定できる。しかしながら、図１２に示すように、プリンタ本体５１の前面には給紙トレイ５６が取り付けられ、背面には用紙５５の一時排紙口が形成され、側面にはインクカートリッジ５２の挿入口が設置される構成が一般的である。このため、プリンタ本体５１に持ち運びを考慮した部材や形状を設けることが困難であった。
【０００９】
本発明は、上記課題に鑑みてなされ、ユーザが行う印刷準備作業や片付け作業をより直感的に行えるようユーザに喚起し、作業性を向上させることができるプリンタ装置を実現する。
【課題を解決するための手段】
【００１０】
上記課題を解決するために、本発明のプリンタ装置は、プリンタ本体と、当該プリンタ本体が載置される上部開口部を有し当該プリンタ本体が載置された状態で下方に内部空間を形成する収納ケースとを有するプリンタ装置であって、前記プリンタ本体には、その上部側面に形成された溝状の取っ手部と、前記取っ手部の下部側面に形成された係止部とが設けられ、前記収納ケースは、前記収納ケースに回動可能に軸支され、前記係止部に係合する係合部が設けられたロック部材と、前記収納ケースの外側面における前記ロック部材の取付位置に対して略９０°対向した位置を回転軸として回動可能なハンドル部材とが設けられ、前記ロック部材を回動させた場合に、当該ロック部材と、回動する前記ハンドル部材とが干渉する位置に前記ロック部材が配置されており、前記ロック部材を所定方向に回動させた場合に、当該ロック部材と当接した前記ハンドル部材が前記ロック部材と共に前記所定方向に回動するように、前記ロック部材が形成されていることを特徴とする。
また、本発明のプリンタ装置は、プリンタ本体と、当該プリンタ本体が載置される上部開口部を有し当該プリンタ本体が載置された状態で下方に内部空間を形成する収納ケースとを有するプリンタ装置であって、前記プリンタ本体の外装部は、前記収納ケースと係合するための係止部を有し、前記収納ケースは、前記収納ケースに回動可能に軸支され、前記係止部に係合する係合部が設けられたロック部材と、前記収納ケースの外側面における前記ロック部材の取付位置に対して略９０°対向した位置を回転軸として回動可能なハンドル部材と、を有し、前記ロック部材を回動させた場合に、当該ロック部材と、回動する前記ハンドル部材とが干渉する位置に前記ロック部材が配置されており、前記ロック部材を所定方向に回動させた場合に、当該ロック部材と当接した前記ハンドル部材が前記ロック部材と共に前記所定方向に回動するように、前記ロック部材が形成されていることを特徴とする。
【発明の効果】
【００１１】
本発明によれば、ユーザが行う印刷準備作業や片付け作業をより直感的に行えるよう喚起し、作業性を向上させることができる。
【発明を実施するための最良の形態】
【００１２】
以下、本発明に係る一実施形態について図面を参照して詳細に説明する。
【００１３】
尚、以下に説明する実施形態は、本発明を実現するための一例であり、本発明が適用される装置の構成や各種条件によって適宜修正又は変更されるべきものであり、本発明は以下の実施形態に限定されるものではない。
【００１４】
［第１の実施形態］
図１乃至図３は、本発明に係る実施形態のプリンタ装置の斜視図である。図４は、本実施形態のプリンタ装置の断面図である。図５は、図４のロック部を拡大した断面図である。
【００１５】
図１乃至図５において、１はプリンタ本体であり、例えばインクリボンに担持されたインクを用紙に転写して印刷する昇華型熱転写方式のプリンタを構成する。プリンタ本体１はその上部側面に形成された溝状の取っ手部１ｃと、取っ手部１ｃの下部側面に形成された凹形状の係止部１ａとを有する。また、収納ケース２には、収納ケース２に回動可能に軸支され、上記係止部１ａに係合する凸形状の係合部３ｂが設けられたロック部材３が設けられる。本実施形態では、凹形状の係止部１ａと凸形状の係合部３ｂが係合することによりロックされている。しかし、この形状に限定されず、１ａを凸形状、３ｂを凹形状にしても良いし、１ａと３ｂの両方を爪形状にして、爪と爪の係合によりロックされるようにしても良い。
【００１６】
プリンタ本体１は収納ケース２の上部開口部２ａに載置され、ロック部材３が係止部１ａと係合することで保持される。収納ケース２は、上部開口部２ａにプリンタ本体１が載置された状態で下方に内部空間を形成する。この内部空間には、プリンタ本体１が印刷動作を行うために、当該プリンタ本体１に取り付けることが必要なインクカートリッジ、用紙、給紙トレイ、電源コード、及びアダプタの少なくともいずれかが収納可能となっている。つまり、プリンタ本体１が、収納ケース２の蓋としての役割を果たしている。
【００１７】
ここで、プリンタ本体１は上面外周形状１ｂが収納ケース２の上部開口部２ａの上縁部に載置され、プリンタ本体１が収納ケース２内部へ落ち込むことを防止している。このようにプリンタ本体１を収納ケース２の上部開口部２ａに載置した状態では、側面開口部２ｂに係止部１ａが収まりロック部材３は収納ケース２の外側下方へ回動して停止した状態となっている。この状態から、ロック部材３を収納ケース２の内側上方へ回動させ、係合部３ｂを係止部１ａに係合させることでプリンタ本体１をロック状態に保持することができる。換言すると、側面開口部２ｂは、係合部３ｂを係止部１ａに係合してプリンタ本体１を収納ケース２に保持したロック状態では、ロック部材３により閉塞され、ロック部材３のロック状態が解除されケース外側へ回動した状態で開口する。ここで、ロック部材３は、プリンタ本体１の上面部に接触しないので、プリンタ本体１の上面部を傷付けることなく、ロック動作及びロック解除動作を行うことができる。また、ロック解除後に、プリンタ本体１を使用するため収納ケース２から分離させる場合は、側面開口部２ｂが開口の状態になっているので、ユーザはこの部分から取っ手部１ｃをつかむことができ、簡単にプリンタ本体１を取り出すことが可能となる。係止部１ａが取っ手部１ｃの下部に設けられているため、側面開口部２ｂによる開口はちょうど取っ手部１ｃの位置に形成され、この開口から取っ手をつかむことが可能となる。そのため、側面開口部２ｂは取っ手部１ｃをつかむことが可能なように十分な大きさであることが望ましい。
【００１８】
また、ロック部材３はプリンタ本体１のロック位置から側面開口部２ｂを介したケース内部への回動が規制され、回動できない構造になっている。この回動を規制する構造の例として、図６では側面開口部２ｂに突起状の規制部材２ｃを設け、ロック部材３がプリンタ本体１のロック位置からケース内方への回動が阻止される構成を示している。
【００１９】
また、別の構成として、図７及び図８に示すように、ロック部材３の軸支部３ａ近傍に上方に突出する規制部材２ｄを設け、ロック部材３がプリンタ本体１のロック位置からケース内方へ回動するのを規制してもよい。
【００２０】
更に、ロック部材３がプリンタ本体１のロック位置にある状態で、ロック部材３の重心位置がロック部材３の回動中心（軸支部３ａ）よりもケース外側にあるように設定されている。これにより、プリンタ本体１を保持していない解除状態ではロック部材３は自重によって常時ケース外側へ回動可能な範囲まで略１８０°回動し停止する。
【００２１】
ロック部材３のロックを解除し、ケース外側へ可能な範囲まで回動させると、ロック部材３が側面開口部２ｂを介して外部から視認可能に露出するので、側面開口部２ｂからプリンタ本体１の上部側面に形成された取っ手部１ｃを視認できる。このため、プリンタ本体１を収納ケース２に載置された状態から取り出す場合には、この側面開口部２ｂから視認可能な取っ手部１ｃに手が入れやすくなり、プリンタ本体１を容易に取り出すことができる。よって、ロックを解除し開口した箇所に手を差し込み取っ手１ｃを掴み、プリンタ本体１を取り出すという一連の作業をユーザに喚起することができ、印刷を行うまでのユーザの作業性を向上することができる。
【００２２】
また、ロック部材３は、プリンタ本体１を保持していない解除状態では常にケース外側へ回動可能な範囲まで回動し、略１８０°回動し停止している。よって、プリンタ本体１を収納ケース２の上部開口部２ａへ載置する時にロック部材３がロック位置でとまっており、プリンタ本体１がロック部材３を挟んでしまうことを回避できる。ここで、何らかの影響で収納ケース２の上面方向からロック部材３へ静圧荷重が加えられた時には一般的にロック部材３はプリンタ本体１のロック位置からケース外側へ回動する向きに変形する力が加わることになる。ユーザの作業性を考慮すると、ロック部材３は最低でも略９０°以上、プリンタ本体１のロック位置からケース外側へ回動可能であることが望ましい。また、ケース外側へ回動し収納ケース２の側面に近接するほど、収納ケース２の上面方向から受ける静圧荷重に対して、軸支部３ａにかかる応力を低減できるので、本例のロック部材３の構造は収納ケース２の上面方向から受ける静圧荷重に対して有利に作用する。
【００２３】
また、収納ケース２の外側面にはハンドル部材４が設けられているので、プリンタ本体１が収納ケース２にロックされた状態で収納ケース２の持ち運びが容易にできるので利便性が向上する。更に、ハンドル部材４をロック部材３の取付位置に対して略９０°対向した位置に配置することで、ロック部材３のロック動作又はロック解除動作を行う時にハンドル部材４と干渉することがなくなる。
【００２４】
［第２の実施形態］
図９は、第２の実施形態としてロック部材を２分割した構成を示す断面図である。ロック部材以外の構成は第１の実施形態と同様である。
【００２５】
第２の実施形態では、図９に示すように、ロック部材が第１ロック部材３１と第２ロック部材３２として分割して構成されている。また、第１ロック部材３１が回動軸３５により第２ロック部材３２に軸支され、第２ロック部材３２が回動軸３６により収納ケース２に軸支された構造となっている。
【００２６】
また、プリンタ本体１のロック位置では第１ロック部材３１の重心位置が第１ロック部材３１の回動軸３５よりもケース外方に位置するように設定されているので、ロックを解除すると第１ロック部材３１は自重によって常時ケース外側へ下方回動する。ここで、第１ロック部材３１は回動軸３５を中心に回動し、ケース内方への回動が規制され、ケース外側へ回動することになる。
【００２７】
また、第１ロック部材３１は略９０°の回動可能範囲が与えられ、図９（ｂ）に示すように第２ロック部材３２が停止した状態では収納ケース２に対して外側に略９０°回動した状態で停止する。更に、図９（ｂ）の状態では回動軸３６に対して第１ロック部材３１と第２ロック部材３２とを一体構成とした場合の重心位置がケース外側に位置するように設定される。このため、図９（ｂ）の略９０°回動した位置から図９（ｃ）のように更に回動軸３６を中心に第１ロック部材３１及び第２ロック部材３２が回動することになる。ここで、第２ロック部材３２は略９０°の回動可能範囲が与えられており、第１ロック部材３１は、プリンタ本体１のロック位置から略１８０°対向した位置まで回動することになる。
【００２８】
本実施形態によれば、収納ケース２とプリンタ本体１とのロックを解除し、第１、第２ロック部材３１，３２がケース外側へ回動した状態で、第１ロック部材３１が収納ケース２の側面に対して略平行となった状態で停止させることができる。このため、第１、第２ロック部材３１，３２が収納ケース２の外側面から突出する量を抑えることができる。
【００２９】
また、本実施形態では、プリンタ本体１の上面外周形状１ｂからの突出量も少なくなるので、収納ケース２の上面方向から受ける静圧荷重の影響を受けにくくなる。
［第３の実施形態］
次に、第３の実施形態について図１３乃至図１８を参照して説明する。
【００３０】
なお、基本的な構成は第１の実施形態と同様であるため同一の符号を付して説明を省略する。図１３及び図１４はハンドル部材とロック部材とが干渉する場合のプリンタの状態を示す図である。図１３（ａ）は斜視図、図１３（ｂ）はロック部材３の拡大図、図１４（ａ）はハンドル部材とロック部材の拡大図、図１４（ｂ）は、ハンドル部材とロック部材の断面図である。
【００３１】
図１３のような大きさのハンドル部材４を有する場合、ロック部材３を回動する際、図１３（ａ）のようにハンドル部材４と当接して、ロック部材３を係止部１ａと係合するロック位置まで回動できないという状況が発生してしまう。
【００３２】
これは、図１４（ａ）のように、ロック部材３を押して矢印方向（ロック方向）に回動させる際に、ロック部材３の一部として設けられている係合部３ｃが、ハンドル部材４と当接する。この状態からさらにロック方向に回動させると、ロック部材３を回動するための力が係合部３ｃを介してハンドル部材４に図（ｂ）中の矢印のように伝播する。この力は、ハンドル部材４を押し下げる方向に働くため、ロック部材３をロック方向に動かす力と干渉し、ロック部材３をロック方向に押しても、ロック部材３及びハンドル部材４は回動しなくなってしまう。この状態から無理にロック部材３をロック方向に回動させようとすると、ロック部材３及びハンドル部材４は破損してしまう恐れがある。
【００３３】
上述のような状況を回避するために、本実施形態のロック部材３は、図１５のような形状になっている。即ち、ロック部材３のロック状態時において、プリンタ本体１に対向する面に、この面から突出する係合部３ｃを設けている。この係合部３ｃの一部である３ｄは、ハンドル部材４との干渉を防ぐために凸形状ではなく凹形状をなしており、この凹形状３ｄがプリンタ本体１の凸形状の係止部１ａ‘（不図示）と係合することによりロックされる。
【００３４】
また、本実施形態のロック部材３には、ロック部材３のロック状態時にプリンタ本体１の側面に対向する面と係合部３ｃとをつなぐリブ部３ｅが設けられている。このリブ部３ｅは斜傾部を有しており、リブ部３ｅの端縁部は係合部３ｃの端面と斜角を持って接している。図１６のように、ロック部材３をロック方向に回動させた場合も、ロック部材３はこのリブ部３ｅの影響によりハンドル部材４と干渉せずに回動させることが可能となる。
【００３５】
このときのロック部材３とハンドル部材４について、図１７を参照して説明する。
【００３６】
図１７（ａ）は、図１３のロック部材及びハンドル部材の断面図、図１７（ｂ）は、本実施形態のロック部材およびハンドル部材の断面図である。
【００３７】
図１７（ａ）の場合、ロック部材３をロック方向（図中上方）に回動させると、係合部３ｃがハンドル部材４と当接する。このとき、ロック部材３をロック方向に回動させる力が係合部３ｃを介してハンドル部材４にＦ１のように伝わる。この力Ｆ１は、ハンドル部材４を図中の下方向に回動させるように作用するので、ロック部材３をロック方向に動かす力と干渉して、ロック部材３もハンドル部材４も動かなくなってしまう。
【００３８】
これに対して、図１７（ｂ）のようにリブ部３ｅを設けることにより、他の部材の寸法は図１７（ａ）と同じであっても、ロック部材３をロック方向に回動させたときに係合部３ｃとハンドル部材４とが当接する位置が異なってくる。そのため、図１７（ｂ）の場合は、ロック部材３をロック方向に回動させる力が係合部３ｃを介してハンドル部材４にＦ２のように伝わる。この力Ｆ２は、ハンドル部材４を図中の上方向に回動させるように作用するので、ロック部材３もハンドル部材４も図中の上方向（ロック方向）に動く。
【００３９】
また、ハンドル部材４の係合部３ｃと当接する部分におけるハンドル部材４を回転軸と直交する方向で切断した場合の断面は矩形ではなく４ａのような形状になっている。ロック部材３とハンドル部材４が共にロック方向に回動するときに、ハンドル部材の断面が矩形の場合は矩形の角の部分がハンドル部材と干渉してしまう可能性があるため、ハンドル部材４のロック部材３と当接する部分を角がない曲面の形状にしておく。こうすれば、係合部３ｃとハンドル部材４が当接した状態でロック部材３をロック方向に回動させた場合に、お互いに干渉せずに、ロック部材３とハンドル部材４が同じ方向に回動するようになる。ここで、ハンドル部材４のロック部材３と当接する部分は曲率が高いほうがより干渉しにくくなる。
【００４０】
また、係合部３ｃにおける、係合部３ｃの端面にリブ部３ｅが連結された部分から突出している部分の長さをＬ１とすると、Ｌ１は短いほうが係合部３ｃはハンドル部材４と干渉しないようになる。
［第４の実施形態］
第３の実施形態におけるＬ１を０にした場合、リブ３ｅ´は図１８のような形状になる。この場合、ロック部材３をロック方向に回転させると、図１８（ａ）から図１８（ｂ）のように、ハンドル部材４はリブ部３ｅ´の傾斜部に沿って移動し係合部３ｃと当接することなく回動する。この場合、ロック部材３でプリンタ本体１をロックするときにリブ部３ｅ´がプリンタ本体１の係止部１ａに当接しないように、係止部１ａに切り込みを入れる等の配慮が必要となる。
【図面の簡単な説明】
【００４１】
【図１】本発明に係る実施形態のプリンタ装置の斜視図である。
【図２】本発明に係る実施形態のプリンタ装置の斜視図である。
【図３】本発明に係る実施形態のプリンタ装置の斜視図である。
【図４】本実施形態のプリンタ装置の断面図である。
【図５】図４のロック部を拡大した断面図である。
【図６】ロック部材の回動を規制する構造を示す側面図である。
【図７】ロック部材の回動を規制する構造を示す側面図である。
【図８】ロック部材の回動を規制する構造を示す断面図である。
【図９】第２の実施形態のロック部材を拡大した断面図である。
【図１０】従来のプリンタ装置の構成の一例を説明する図である。
【図１１】従来のプリンタ装置の持ち運び形態の一例を説明する図である。
【図１２】従来のプリンタ装置の構成の一例を説明する図である。
【図１３】ハンドル部材とロック部材とが干渉する場合のプリンタの状態を示す図である。
【図１４】ハンドル部材とロック部材とが干渉する場合のプリンタの状態を示す図である。
【図１５】第３の実施形態のロック部材を示す図である。
【図１６】第３の実施形態のロック部材及びハンドル部材を示す図である。
【図１７】第３の実施形態のロック部材及びハンドル部材を示す図である。
【図１８】第４の実施形態のロック部材及びハンドル部材を示す図である。
【符号の説明】
【００４２】
１，５１  プリンタ本体
１ａ  係止部
１ｂ  上面外周形状
１ｃ，６０  取っ手部
２  収納ケース
２ａ  上部開口部
２ｂ  側面開口部
２ｃ，２ｄ  規制部材
３，３１，３２  ロック部材
３ａ  軸支部
３５，３６  回動軸
４，６１  ハンドル部材
５２  インクカートリッジ
５３  電源コード
５４  ＡＣアダプタ
５５  用紙
５６  給紙トレイ
【図１】
0005314916.tif 000002
【図２】
0005314916.tif 000003
【図３】
0005314916.tif 000004
【図４】
0005314916.tif 000005
【図５】
0005314916.tif 000006
【図６】
0005314916.tif 000007
【図７】
0005314916.tif 000008
【図８】
0005314916.tif 000009
【図９】
0005314916.tif 000010
【図１０】
0005314916.tif 000011
【図１１】
0005314916.tif 000012
【図１２】
0005314916.tif 000013
【図１３】
0005314916.tif 000014
【図１４】
0005314916.tif 000015
【図１５】
0005314916.tif 000016
【図１６】
0005314916.tif 000017
【図１７】
0005314916.tif 000018
【図１８】
0005314916.tif 000019